【事件の表示】
　特許第３２７５７５５号「光照射ユニット」の請求項１ないし３に係る特許に対する特許異議の申立てについて、次のとおり決定する。
【結　論】
　訂正を認める。
　特許第３２７５７５５号の請求項１ないし２に係る特許を維持する。
【理　由】
１．手続の経緯
　特許第３２７５７５５号の請求項１〜３に係る発明は、平成９年１月３１日特許出願され、平成１４年２月８日にその特許権の設定登録がなされ、その後、今川佳余子及び芳松由江より特許異議の申立てがなされ、取り消しの理由が通知され、その指定期間内である平成１５年７月２３日に訂正請求がなされたものである。
　　
２．訂正の適否についての判断
（１）訂正の内容
　訂正事項ａ
　特許請求の範囲の請求項３を削除する。
　訂正事項ｂ
　明細書の段落【０００７】の記載について、「次に、請求項２および請求項３の発明は、凹面反射鏡が箱型の灯具に内接するようにして取り付けられた光照射ユニットに関するものであり、先ず、請求項２の発明は」とあるのを、「次に請求項２の発明は、凹面反射鏡が箱型の灯具に内接するようにして取り付けられた光照射ユニットに関するものであり、」と訂正する。
　訂正事項ｃ
　明細書の段落【０００８】を削除する。
　訂正事項ｄ
　明細書の段落【００１６】を削除する。
  訂正事項ｅ
  明細書の段落【００１７】を削除する。
　訂正事項ｆ
　明細書の段落【００１８】の記載について、「灯具３の前面開口がガラス板４で覆われ、コーナー部Ｃが網目部材５あるいは網目部材と仕切板で覆われ、通気窓３１も網目部材５で覆われているので、放電ランプ１が万一破裂しても、放電ランプ１の破片は凹面反射鏡２から外部に飛散することがない。」とあるのを削除する。
　訂正事項ｇ
　明細書の【図面の簡単な説明】の記載のうち、【図６】〜【図８】に関する記載を削除する。
　訂正事項ｈ
　明細書の【符号の説明】の記載のうち、「３２排気部」を削除する。
　訂正事項ｉ
　図面中の、第６〜８図を削除する。
　　
（２）訂正の目的の適否、新規事項の有無及び拡張・変更の存否
　上記訂正事項ａは、特許請求の範囲の減縮を目的とするものであり、願書に最初に添付した明細書又は図面に記載した事項の範囲内の訂正であって、実質上特許請求の範囲を拡張し、又は変更するものでもない。
　また、上記訂正事項ｂ〜ｉは、上記訂正事項ａと整合を図るものであるから、明瞭でない記載の釈明を目的とした明細書の訂正に該当し、いずれも新規事項の追加に該当せず、実質上特許請求の範囲を拡張し、又は変更するものでもない。
　　
（３）むすび
　したがって、上記訂正は、特許法第１２０条の４第２項及び同条第３項で準用する第１２６条第２項及び第３項の規定に適合するので、当該訂正を認める。
　　
３．特許異議の申立てについての判断
 　請求項３は削除されたので、請求項１、２について検討する。
（１）申立の理由の概要
   特許異議申立人今川佳余子は、請求項１に係る発明の特許に対して、証拠として、特開平８−７８４１号公報、実開平５−３６４４１号公報、実公平４−１７９６５号公報及び実願昭６２−２７２０９号（実開昭６３−１３５７５９号）のマイクロフィルムを提示し、請求項１に係る発明の特許は、特許法第２９条第２項の規定に違反して特許されたものであり、また、請求項１、２に記載された「ランプが破損したときの破片が通過不能な通気板」は発明の詳細な説明に記載されていないから、請求項１、２に係る発明の特許は、特許法第３６条第６項第１号の規定に違反して特許されたものである旨主張している。
　特許異議申立人芳松由江は、請求項１、２に係る発明の特許に対して、証拠として、実公平４−１７９６５号公報 、実開平５−３６４４１号公報及び特開昭５６−６５４０１号公報を提示し、請求項１、２に係る発明の特許は、特許法第２９条第２項の規定に違反して特許されたものである旨主張している。
（２）本件の請求項１、２に係る発明
　上記２．で示したように上記訂正が認められるから、本件の請求項１、２に係る発明は、訂正明細書の特許請求の範囲の請求項１、２に記載された事項により特定されるとおりのものである。
（３）刊行物等
　特許異議申立人が証拠として提示した刊行物には、それぞれ、以下の事項が記載されている。
　刊行物１：特開平８−７８４１号公報
　「液晶プロジェクタやスライドプロジェクタ用等の投射形の反射鏡付きメタルハライドランプに関するものである。」（第２頁左欄第１１〜１３行）、「万一、点灯中に発光管が破損したとしても、それによって生じた破片は、透光性前面板によって反射鏡外に飛散することが阻止される」（第３頁右欄第１５〜１８行）
　刊行物２：実願平３−９３２８８号（実開平５−３６４４１号）のＣＤ−ＲＯＭ
　「この考案は、液晶ビジョンのような投影機や映写機等の機器に用いられる投影用光源装置の冷却構造に関する。」（第４頁第４〜５行）、「投影される長方形状の映像の輪郭より外側に対応する反射面の上下両縁及び左右両縁に、放熱用の切り欠きあるいは透孔を形成している。」（第４頁末行〜第５頁第２行）、「第１の実施例の切り欠きの代わりに該当する同じ部分に小径の透孔１０を多数形成している。従って、これらの多数の透孔１０が放熱路として利用されることになり、冷却効果が高められるのである。」（第５頁第２２〜２５行）
　刊行物３：実公平４−１７９６５号公報
　「前面に開口５１ａを設けた光源ボックス５１内に高電圧アークランプ５２とリフレクタ５３とを設け、前記光源ボックス５１の前面に、前端の開口面を透明な防爆ガラス５７で覆った防爆筒５６を設けるとともに、前記光源ボックス５１および防爆筒５６に吸気口５９、６０と排気口６１、６１および６２、６２を設けて・・・・万一高電圧アークランプ５２が異常過熱を生じて破裂した場合でも、リフレクタ５３の前方に飛散する破片を前記防爆筒５６および防爆ガラス５７で受止めることができ、したがってランプ破片が光源装置外に飛散することはない」（第５頁右欄第３６行〜第６頁左欄第１６行）
　刊行物４：実願昭６２−２７２０９号（実開昭６３−１３５７５９号）のマイクロフィルム
  「万一、何らかの異常原因によって管球１１が破損しても、反射鏡２の開口部２１が金網４で覆われているので、その破片は外部に飛散せず、安全である。」（明細書第７頁第７〜１０行）
　刊行物５：特開昭５６−６５４０１号公報
   「反射鏡の前面側には、筒状の金網２１がキセノンランプと同心的に設けられている。」
　（第２頁左欄第７〜８行）
（４）対比・判断
　上記刊行物１〜５には、「放電ランプが凹面反射鏡で取り囲まれ、反射光が該凹面反射鏡の前面開口から放射する光照射ユニットにおいて、前記凹面反射鏡の開口部端部が複数個所で切り落とされて複数個の切欠き部が形成され」ること、「凹面反射鏡の前面開口が透光性材料からなる前面板で覆われ」ること、「ランプが破損したときの破片が外部に飛散しないように、金網を設ける」こと「多数の透孔を反射鏡に設けて放熱路とする」ことは記載されているが、請求項１、２に係る発明を特定する事項である、「凹面反射鏡の開口部端部が複数箇所で切り落とされて複数個の切欠き部が形成され、該切欠き部が、ランプが破損したときの破片が通過不能な通気板で覆われ」た事項については記載がなく、示唆されてもいない。
　そして、この事項により、請求項１、２に係る発明は、発光管内の圧力が高圧になる放電ランプを用いた光照射ユニットにおいても、機器を小型化することと、凹面反射鏡内の冷却と、ランプの破片が飛散することの防止を同時に達成できるという顕著な効果を奏するものであり、請求項１、２に係る発明が刊行物１〜５に記載のものから容易に発明することができたものとはいえない。
　また、「ランプが破損したときの破片が通過不能な通気板」は、明細書の【発明が解決しようとする課題】の記載からみて、「ランプが破損したときの破片のうち、飛散によって、投映機器に損傷を与えるような大きさのものを通過させない通気板」を意味するものと解釈できるから、発明の詳細な説明に記載されたものではないとはいえない。
　　
（５）むすび
　以上のとおりであるから、特許異議申立ての理由及び証拠によっては、本件請求項１、２に係る特許を取り消すことができない。
　また、他に本件請求項１、２に係る特許を取り消すべき理由を発見しない。
　よって、結論のとおり決定する。
【異議決定日】
平成１５年８月４日（２００３．８．４）
【訂正の要旨】
審決（決定）の【理由】欄参照。
（５４）【発明の名称】
光照射ユニット
（５７）【特許請求の範囲】
　【請求項１】　放電ランプが凹面反射鏡で取り囲まれ、反射光が該凹面反射鏡の前面開口から放射する光照射ユニットにおいて、前記凹面反射鏡の開口部端部が複数個所で切り落されて複数個の切欠き部が形成され、凹面反射鏡の前面開口が透光性材料からなる前面板で覆われ、該切欠き部が、ランプが破損したときの破片が通過不能な通気板で覆われていることを特徴とする光照射ユニット。
　【請求項２】　放電ランプを取り囲む凹面反射鏡が箱型の灯具に内接して配置され、反射光が灯具の前面開口から放射する光照射ユニットにおいて、前記凹面反射鏡の開口部端部が複数個所で切り落されて切欠き部が形成され、一方、前記灯具には、該切欠き部に対応する位置に通気窓が形成され、前記通気窓は、ランプが破損したときの破片が通過不能な通気板で覆われており、該灯具の前面開口に透光性材料からなる前面板が配置されたことを特徴とする光照射ユニット。
【発明の詳細な説明】
　【０００１】
　【発明の属する技術分野】本発明は、投映機器の光源などに使用される光照射ユニットに関するものである。
　【０００２】
　【従来の技術】近年、ＯＨＰ（オーバーヘッドプロジェクタ）や液晶プロジェクタがプレゼンテーションツールとして活用されている。これらの投映機器においては、光源ランプとして、発光効率の優れたショートアーク型のメタルハライドランプが使用されることが多いが、このメタルハライドランプを凹面反射鏡で取り囲み、更には、これを耐熱性樹脂製や金属製の箱型の灯具に組み込んだ光照射ユニットが投映機器に内蔵される。
　【０００３】
　【発明が解決しようとする課題】光源ランプとして使用されるショートアーク型のメタルハライドランプは、点灯時には、発光管内の圧力が２０〜１５０気圧程度の高圧になるが、通常使用のランプ寿命内において、発光管が劣化してランプが破裂する危険性が考えられる。そして、万一、ランプが破裂すると、発光管を構成する石英ガラスや透光性セラミックスの破片が投映機器内で散乱する。このとき、散乱した発光管の破片は極めて高温であるために、投映機器内の配線コードや可燃性部材を損傷することがある。
　【０００４】このため従来は、ランプの破裂対策として、凹面反射鏡の前面開口をガラス板で覆って凹面反射鏡内部を閉空間にし、この閉空間内にランプを配置することが提案されている（例えば、特開平８−７８４１号公報）。しかし最近は、スクリーン照度を向上させる要請が大きく、ランプの高出力化が進んでいる。従って、凹面反射鏡内にランプ冷却用の冷却風を通風させる必要が生じ、このため、機器の小型化にも相なって凹面反射鏡の開口部端部を切り落して切欠き部を形成したところを通気用として使うことがある。しかしながら、かかる構造においては、ランプが破損したときに、石英ガラスの破片が、この通気用の切欠き部から飛散してしまう不具合がある。
　【０００５】そこで本発明は、ランプを十分に冷却できるとともに、万一ランプが破裂しても、発光管の破片が投映機器内に飛散することのない光照射ユニットを提供することを目的とする。
　【０００６】
　【課題を解決するための手段】かかる目的を達成するために、請求項１の発明は、箱型の灯具を使用しない光照射ユニットに関するものであり、凹面反射鏡の開口部端部を複数個所で切り落して切欠き部を形成し、凹面反射鏡の前面開口を透光性材料からなる前面板で覆い、凹面反射鏡の切欠き部をランプが破損したときの破片が通過不能な通気板で覆う。
　【０００７】次に、請求項２の発明は、凹面反射鏡が箱型の灯具に内接するようにして取り付けられた光照射ユニットに関するものであり、凹面反射鏡の開口部端部を複数個所で切り落して切欠き部を形成し、一方、灯具の該切欠き部に対応する位置に通気窓を形成するとともに、灯具の前面開口を透光性材料からなる前面板で覆い、かつ該通気窓をランプが破損したときの破片が通過不能な通気板で覆う。
　【０００８】
　【０００９】
　【発明の実施の形態】以下に、図面に基づいて本発明の実施の形態を具体的に説明する。図１および図２は請求項１の発明の実施例を示す。図１において、光照射ユニットの光源ランプである放電ランプ１は、例えば消費電力が２５０Ｗのメタルハライドランプであり、発光管は石英ガラスや透光性セラミックスで成形されている。そして、放電ランプ１の一方の封止部１１にランプベース１２が取り付けられている。凹面反射鏡２は、硼珪酸ガラスにて成形されたものであり、その頚部に中心孔２１が形成されている。そして、放電ランプ１のランプベース１２が通気孔付の口金スリーブ１３を通して凹面反射鏡２の中心孔２１に挿通され、接着剤１４により、放電ランプ１は凹面反射鏡２に固定されている。通気孔付の口金スリーブ１３は筒体であり、図２に示すように、その筒体の周面に例えば９０°の切欠き１３ａが２個対向して形成され、その切欠き部分が径方向の通気孔である。
　【００１０】ここで、凹面反射鏡２は、その開口部端部が四方から切り落されており、図２に示すように、凹面反射鏡２の前面開口の形状は、隅部が円弧状の略四角形となっている。従って、凹面反射鏡２の開口部端部には、図１に示すように、例えば切欠き部２２が４個形成される。なお、凹面反射鏡２の開口部端部の両側のみを切り落し、対向する２個の切欠き部２２のみを形成するようにしてもよい。
　【００１１】凹面反射鏡２の前面開口に、ガラス板４が取り付けられた前面ガラス取付部材４１が固定されている。つまり、凹面反射鏡２の前面開口は、透光性材料からなる前面板であるガラス板４で覆われている。また、前面ガラス取付部材４１には、ランプの破片が通過不能な通気板として、４枚の網目部材５が取り付けられており、この網目部材５が凹面反射鏡２の切欠き部２２を覆っている。網目部材５の網目の大きさは、例えば０．４〜１．６ｍｍ程度であり、十分な通気性を有するが、放電ランプ１が万一破裂しても、放電ランプ１の破片は通過できないようになっている。なお、前面ガラス取付部材４１と網目部材５を耐熱性合成樹脂にて一体に成形しても良い。かかる光照射ユニットが例えば液晶プロジェクタに内蔵され、凹面反射鏡２の反射光が液晶パネルを照射する。
　【００１２】このように、凹面反射鏡２で取り囲まれた放電ランプ１は、凹面反射鏡２の前面開口がガラス板４で覆われ、凹面反射鏡２の切欠き部２２が網目部材５で覆われているので、放電ランプ１が万一破裂しても、放電ランプ１の破片は凹面反射鏡２から外部に飛散することがない。従って、液晶プロジェクタ内の配線コードや可燃性部材を損傷することがない。本実施例の場合は、冷却風は口金スリーブ１３の通気孔から凹面反射鏡２内に入り、放電ランプ１を冷却して切欠き部２２から流出する。この場合、口金スリーブ１３の通気孔部分も網目部材で覆ってもよい。逆に冷却風が切欠き部から入って口金スリーブ１３の通気孔から流出する場合もある。通気孔付の口金スリーブ１３を使用しない放電ランプの場合は、つまり、放電ランプ１と凹面反射鏡２の接続部である中心孔２１が閉塞されている場合は、一方の切欠き部２２から凹面反射鏡内に入った冷却風が放電ランプ１を冷却して他方の切欠き部２２から出る。
　【００１３】次に、請求項２の発明の実施例を図３及び図４に示す。図３において、放電ランプ１および凹面反射鏡２の構造は、図１に示す実施例と同じであるが、図４に示すように、凹面反射鏡２は灯具３に内接した状態で取り付けられている。灯具３は、ＰＰＳなどの耐熱プラスチックやアルミニウム板などで箱型に成形されたものである。凹面反射鏡２の前面開口の円弧状の隅部と灯具３内の四角形の隅部で郭定される略三角形状の４個のコーナー部Ｃができるが、このコーナー部Ｃはいずれも仕切板６で閉塞されている。つまり、灯具３の前部と後部は、凹面反射鏡２と仕切板６によって遮断させており、放電ランプ１の破片が灯具３の後方に飛散しないようになっている。そして、灯具３の前面開口は、透光性材料からなる前面板であるガラス板４で覆われている。灯具３の各側面には、通気窓３１が形成され、通気窓３１は凹面反射鏡２の切欠き部２２にそれぞれ接続されており、通気窓３１の裏側には、網目部材５が取り付けられている。そして、灯具３の後方に電源コネクタ７が配置されている。
　【００１４】また、灯具３がＰＰＳなどの耐熱プラスチックで成形される場合は、凹面反射鏡２の前面形状に合わせて灯具３のコーナーを円弧状にして凹面反射鏡２の前面開口隅部と灯具３の隅部が密着するようにすることもでき、その場合に網目部材５を取り付けた様子を図５に示す。
　【００１５】このように、請求項２の発明も、凹面反射鏡２で取り囲まれた放電ランプ１は、灯具３の前面開口がガラス板４で覆われるとともに、仕切板６により凹面反射鏡２の内部と灯具３の後方が遮断され、かつ凹面反射鏡２の切欠き部２２に接続された通気窓３１が網目部材５で覆われているので、放電ランプ１が万一破裂しても、放電ランプ１の破片は凹面反射鏡２から外部に飛散することがない。この場合も、図１の実施例と同様に、冷却風は、口金スリーブ１３の通気孔から凹面反射鏡２内に入り、切欠き部２２から流出する。もしくはこれとは逆に、冷却風が切欠き部２２から入り口金スリーブ１３の通気孔から流出する。この場合、口金スリーブ１３の通気孔部分を網目部材で覆ってもよい。通気孔付の口金スリーブ１３を使わない場合は、一方の通気窓３１および切欠き部２２から凹面反射鏡２内に入った冷却風が放電ランプ１を冷却して他方の切欠き部２２および通気窓３１から出る。
　【００１６】
　【００１７】
　【００１８】以上の実施例においては、ランプが破裂したときの破片が通過不能な通気板の代表的な例として網目部材を取り上げたが、これに限らず、冷却風が通過してランプの破片が通過しないものであればよい。
　【００１９】
　【発明の効果】以上説明したように、本発明は、放電ランプを取り囲む凹面反射鏡の前面開口または灯具の前面開口を透光性材料からなる前面板で覆うとともに、冷却風の通過部である凹面反射鏡の切欠き部や灯具の通気窓をランプが破損したときの破片が通過不能な通気板で覆ったので、ランプを十分に冷却できるとともに、万一ランプが破裂しても、破片が投映機器内に飛散することのない光照射ユニットとすることができる。
【図面の簡単な説明】
　【図１】請求項１の発明の実施例の断面図である。
　【図２】請求項１の発明の実施例の背面図である。
　【図３】請求項２の発明の実施例の断面図である。
　【図４】図３のＡ−Ａ′断面を矢印の方向に見た図である。
　【図５】請求項２の発明の他の実施例の断面図である。
　【符号の説明】
　１　放電ランプ
　１１　封止部
　１２　ランプベース
　１３　口金スリーブ
　１４　接着剤
　２　凹面反射鏡
　２１　凹面反射鏡の中心孔
　２２　凹面反射鏡の切欠き部
　３　灯具
　３１　通気窓
　４　ガラス板
　５　網目部材
　６　仕切板
　７　電源コネクタ
　Ｃ　コーナー部
【図面】